(57)【要約】【課題】花粉等の微細物質の捕集性能を向上できる上に、十分な吸気量が得られるヘアケア装置を提供すること。【解決手段】吸込口１７と、吹出口１８とを有するハウジング５の吸込口１７にプリーツ状のフィルタ２２を取り付ける。ハウジング５内に吸込口１７から吹出口１８までの空気の流れを生成するためのファン６を配置する。ハウジング５内に正負のイオンを放出するイオン発生器８を配置する。【選択図】図１
2013255650.tif 000002
【特許請求の範囲】
【請求項１】
第１吸込口と、吹出口とを有するハウジングと、
上記ハウジング内に配置されると共に、上記第１吸込口から上記吹出口までの空気の流れを生成するファンと、
上記第１吸込口に取り付けられたプリーツ状のフィルタと、
上記ハウジング内に配置されると共に、帯電粒子を放出する帯電粒子発生装置と
を備えることを特徴とするヘアケア装置。
【請求項２】
請求項１に記載のヘアケア装置において、
上記ハウジングは、上記ファンと上記プリーツ状のフィルタの間に開閉可能な第２吸込口を有することを特徴とするヘアケア装置。
【請求項３】
請求項１または２に記載のヘアケア装置において、
上記ファンよりも上記空気の流れの上流側にプラス電位に帯電可能なフィルタを備えることを特徴とするヘアケア装置。
【発明の詳細な説明】
【技術分野】
【０００１】
本発明は、ヘアケア装置に関し、例えば、花粉等のアレルゲン物質の捕集ができるヘアケア装置に関する。
【背景技術】
【０００２】
従来、ヘアケア装置としては、特許第４５１８４９１号公報（特許文献１）に記載されているものがある。このヘアケア装置は、ハウジングと、ファンと、ヒータと、フィルタとを備え、上記フィルタは、プラスチック成形品からなるフィルタ枠と、ろ過用エレメントとを有する。上記フィルタは、立体構造を有し、上記ハウジングの外面に被せ付けられている。
【０００３】
このヘアケア装置は、立体型のフィルタをハウジングの外面に被せ付けることにより、フィルタから吸風開口に到る通気経路長さを小さくして、ファンの吸風効率が向上するようにしている。
【０００４】
しかしながら、上記従来のヘアケア装置では、花粉等の微細物質を捕集しようとして、フィルタの孔を微細にすると、吸気量が、著しく低下するという問題がある。
【先行技術文献】
【特許文献】
【０００５】
【特許文献１】特許第４５１８４９１号広報
【発明の概要】
【発明が解決しようとする課題】
【０００６】
そこで、本発明の課題は、花粉等の微細物質の捕集性能を向上できる上に十分な吸気量が得られるヘアケア装置を提供することにある。
【課題を解決するための手段】
【０００７】
上記課題を解決するため、この発明のヘアケア装置は、
第１吸込口と、吹出口とを有するハウジングと、
上記ハウジング内に配置されると共に、上記第１吸込口から上記吹出口までの空気の流れを生成するファンと、
上記第１吸込口に取り付けられたプリーツ状のフィルタと、
上記ハウジング内に配置されると共に、帯電粒子を放出する帯電粒子発生装置と
を備えることを特徴としている。
【０００８】
尚、上記帯電粒子とは、例えば、プラスイオン、マイナスイオン、空気中の水分から生み出される微粒子イオン、電子等の電荷が帯電している粒子のことをいう。
【０００９】
本発明によれば、第１吸込口に、プリーツ状（折り畳み状）のフィルタが配置されているから、折り畳み型でないフィルタと比較して、小さなスペースで、フィルタの表面積を大きくすることができて、花粉等の微細物質の捕集性能を向上できる。
【００１０】
また、本発明によれば、プリーツ状のフィルタで表面積を大きくできるから、フィルタにある孔の数を増やすことができる。したがって、花粉等の微細物質の捕集性能の向上のために、各孔を微細にしても、吸気量が、大きく低下することがない。
【００１１】
また、髪や衣類は、プラスに帯電し易い一方、花粉等のアレルゲン物質は、マイナスに帯電し易いことが知られている。本発明によれば、帯電粒子発生装置がマイナスに帯電している粒子（マイナス帯電粒子）を放出する場合には、帯電粒子発生装置から放出されるマイナス帯電粒子によって、髪や衣類に帯電しているプラス電荷を中和できて除去できる。したがって、花粉等のアレルゲン物質が、髪や衣類に引き寄せられにくくすることができて、アレルゲン物質が、人の近傍に存在しにくくすることができる。更には、髪や衣類に付着している花粉等のアレルゲン物質を、マイナス帯電粒子の吹き付けにより髪や衣類から剥離することができて、更に、剥離後、浮遊している花粉等のアレルゲン物質を、プリーツ状のフィルタで捕集することができる。
【００１２】
また、帯電粒子発生装置がプラスに帯電している粒子（プラス帯電粒子）を放出する場合には、帯電粒子発生装置から放出されるプラス帯電粒子によって、空気中に浮遊している花粉等のアレルゲン物質に帯電しているマイナス電荷を中和できて除去できる。したがって、花粉等のアレルゲン物質が、プラスに帯電している髪や衣類に引く寄せられる作用を抑制できて、アレルゲン物質が、人の近傍に存在しにくくすることができる。また、電荷を失って、浮遊している花粉等のアレルゲン物質を、プリーツ状のフィルタで捕集することができる。
【００１３】
また、一実施形態では、
上記ハウジングは、上記ファンと上記プリーツ状のフィルタの間に開閉可能な第２吸込口を有する。
【００１４】
上記実施形態によれば、上記ファンと上記プリーツ状のフィルタの間に開閉可能な第２吸込口を有するから、微細な花粉等のアレルゲン物質の捕集を意図しない場合に、第２吸込口を開くことによって、プリーツ状のフィルタを経由しない空気の流れを生成できる。したがって、髪の乾燥等、花粉等のアレルゲン物質の捕集を意図しない場合に、プリーツ状のフィルタを経由しないバイパス経路を形成することによって、吸入空気量を大きくできて、髪の乾燥等を迅速に行うことができる。
【００１５】
また、一実施形態では、
上記ファンよりも上記空気の流れの上流側にプラス電位に帯電可能なフィルタを備える。
【００１６】
上記実施形態によれば、ファンよりも空気の流れの上流側にプラス電位に帯電可能なフィルタを備えるから、このプラス電位に帯電しているフィルタによって、マイナスに帯電している花粉等のアレルゲン物質をハウジングの内部に引き寄せることができて、引き寄せられた花粉等のアレルゲン物質を、プリーツ状のフィルタで効率良く捕集できる。
【発明の効果】
【００１７】
本発明によれば、花粉等の微細物質の捕集性能を向上できる上に十分な吸気量が得られるヘアケア装置を実現できる。
【図面の簡単な説明】
【００１８】
【図１】本発明のヘアケア装置の第１実施形態であるドライヤーの模式縦断面図である。
【図２】イオン発生器の模式図である。
【図３】吸気グリルおよび一次フィルタを取り外して、二次フィルタを視認できるようにした状態のドライヤーを後方から見たときの図である。
【図４】上記制御部と、各部位との入出力の関係を示すブロック図である。
【図５】変形例のドライヤーの図３に対応する図である。
【図６】本発明のヘアケア装置の第２実施形態であるドライヤーの模式縦断面図である。
【図７】本発明のヘアケア装置の第３実施形態であるドライヤーの模式縦断面図である。
【図８】第３実施形態のドライヤーを制御する制御回路を示す図である。
【発明を実施するための形態】
【００１９】
以下、本発明を図示の形態により詳細に説明する。
【００２０】
図１は、本発明のヘアケア装置の第１実施形態であるドライヤーの模式縦断面図である。
【００２１】
図１に示すように、このドライヤーは、ドライヤー本体１と、取手２とを備え、取手２は、ドライヤー本体１に接続している。上記取手２は、折り畳み用ボタン１２を押圧すると、関節によりドライヤー本体１に対して折り畳みできるようになっている。上記取手２は、折りたたみ状態では、ドライヤー本体１に沿うように延在する一方、取手の機能を発揮するときには、図１に示すように、ドライヤー本体１の軸方向に略垂直な方向に延在するようになっている。
【００２２】
ドライヤー本体１は、ハウジング５と、ファン６と、ヒータ７と、帯電粒子発生装置の一例としてのイオン発生器８と、ファンモータ９と、整流部材１０とを有する。上記ハウジング５は、筒状の部材であって、第１吸込口としての吸込口１７と、吹出口１８とを有し、吸込口１７は、ハウジング５の延在方向の一端部に位置する一方、吹出口１８は、ハウジング５の延在方向の他端部に位置している。
【００２３】
図１に示すように、上記吸込口１７には、吸気グリル２０と、一次フィルタ２１と、二次フィルタ２２とが、取り付けられ、一次フィルタ２１は、吸気グリル２０よりもファン６側に位置し、二次フィルタ２２は、一次フィルタ２１よりもファン６側に位置している。上記一次フィルタ２１は、周知の平面状のフィルタで構成されている。
【００２４】
上記ファン６およびファンモータ９は、ハウジング５内に配置されている。上記ファン６は、ファンモータ９によって駆動されるようになっている。上記ファン６は、ハウジング５内に、吸込口１７から吹出口１８までの空気の流れを生成するようになっている。上記ハウジング５内には制御部が存在している。制御部によって、ファンモータ９の多段出力駆動を可能にする周知の駆動回路を制御することにより、ファン６が、高出力駆動と、その高出力駆動よりも低出力の低出力駆動とをできるようになっている。上記吸気グリル２０、一次フィルタ２１および二次フィルタ２２は、ファン６よりも空気の流れの上流側に位置している。
【００２５】
上記ヒータ７は、ハウジング５内に位置している。詳しくは、上記ハウジング５は、帯電粒子流路としてのイオン流路３０と、空気流路３１とを有し、イオン流路３０と、空気流路３１とは、仕切壁３３で隔てられている。上記仕切壁３３は、平板からなり、ファン６の軸方向に延在している。上記イオン流路３０および空気流路３１の夫々は、ファン６およびファンモータ９よりも空気の流れの下流側に位置し、略ファン６の軸方向に延在している。上記ヒータ７は、空気流路３１内に配置されている。上記ヒータ７は、吸込口１７から取り込まれて空気流路３１内を流動する空気を加熱して温風を生成するようになっている。上記制御部は、図示しないヒータ制御装置に信号を出力するようになっており、ヒータ制御装置は、ヒータ７に供給する電力の通遮電を行うようになっている。
【００２６】
上記イオン発生器８は、特許第３６８０１２１号に記載されている著名のイオン発生器で構成されている。このイオン発生器８は、図２の模式図に示すように、プラスイオン電極７０と、マイナスイオン電極７１と、高電圧発生部７２とを有し、プラズマ放電に基づいて、帯電粒子の一例としての著名な正負のＰＣＩ（プラズマクラスターイオン：登録商標）を放出するようになっている。
【００２７】
上記イオン発生器８は、ファン６およびファンモータ９よりも上記空気の流れの上流側に位置している。上記イオン発生器８は、ハウジング５における取手２側の部分に着脱可能に固定されるようになっている。上記イオン発生器８の一部は、外部に露出している。上記イオン発生器８は、上記空気の流れの中に正負のＰＣＩを放出するようになっている。
【００２８】
上記イオン流路３０は、ハウジング５の内周面の一部と、仕切壁３３とで画定されている。上記イオン流路３０は、帯電粒子入口としてのイオン入口５７と、帯電粒子出口としてのイオン出口５８とを有する。上記仕切壁３３においてイオン流路３０に面する表面部は、樹脂材料等の非金属材料からなっている。このようにして、仕切壁３３に接触したイオンが、電荷を失いにくくして、イオン流路３０内のイオンが消滅しにくいようにしている。
【００２９】
また、上記イオン発生器８のイオン発生部は、イオン流路３０に軸方向に重なる位置に存在している。このようにして、イオン発生器８で生成されたイオンを、効率的にイオン流路３０の方に導いて、吹出口１８でのイオン濃度が高くなるようにしている。上記整流部材１０は、ファン６よりも空気の流れの下流側に位置している。上記整流部材１０は、風の向きを軸方向に整流するようになっている。
【００３０】
上記取手２には、操作部１１が形成されている。ユーザが、操作部１１を用いて情報を入力すると、その情報は、制御部に送られるようになっている。上記制御部は、ＣＰＵ（中央演算処理装置：Central Processing Unit）からなっている。上記制御部は、プログラムおよびデータを格納する図示しないメモリにアクセスできるようになっている。また、制御部と、各部とは、Ｉ／Ｆ（インターフェイス：Interface）によって、データを入出力するようになっている。上記制御部および上記メモリは、上記空気の流れにおいて、ヒータ７よりも上流側に位置している。このようにして、上記制御部の電装品およびメモリが、上記空気の流れで冷却されるようにしている。
【００３１】
図３は、吸気グリル２０および一次フィルタ２１を取り外して、二次フィルタ２２を視認できるようにした状態のドライヤーを後方から見たときの図である。
【００３２】
図３に示すように、二次フィルタ２２は、プリーツ状のフィルタからなっている。上記二次フィルタ２２は、図３に参照番号８０で示す平行に配置された複数の折り目で、ジャバラ状に折り畳まれた構造（平型ジャバラ構造）を有している。このようにして、コンパクトであるにも拘わらず表面積が大きいフィルタ構造を実現している。
【００３３】
図４は、上記制御部５０と、各部位との入出力の関係を示すブロック図である。
【００３４】
図４に示すように、制御部５０には、ヒータ制御装置５１、ファンモータ９、操作部１１（図１参照）およびイオン発生用高周波回路５２が接続されている。上記制御部５０は、これらの部位の夫々と、Ｉ／Ｆを介してつながっている。
【００３５】
上記制御部５０は、操作部１１からの情報に基づいて、ヒータ７のヒータ制御装置５１を制御するようになっており、ヒータ７の駆動を制御するようになっている。また、上記制御部５０は、操作部１１からの情報に基づいて、ファンモータ９およびイオン発生用高周波回路５２を制御するようになっており、ファン６およびイオン発生器８の駆動を制御するようになっている。
【００３６】
上記第１実施形態のドライヤーによれば、吸込口１７に、プリーツ状（折り畳み状）の二次フィルタ２２が配置されているから、折り畳み型でないフィルタと比較して、小さなスペースで、フィルタの表面積を大きくすることができて、花粉等の微細物質の捕集性能を向上できる。
【００３７】
また、上記第１実施形態のドライヤーによれば、プリーツ状の二次フィルタ２２で表面積を大きくできるから、プリーツ状でないフィルタとの比較においてプリーツ状の二次フィルタ２２にある孔の数を増やすことができる。したがって、花粉等の微細物質の捕集性能の向上のために、各孔を微細にしても、吸気量が、大きく低下することがない。
【００３８】
また、髪や衣類は、プラスに帯電し易い一方、花粉等のアレルゲン物質は、マイナスに帯電し易いことが知られている。上記第１実施形態のドライヤーによれば、イオン発生器８が放出するマイナス帯電粒子としての負のＰＣＩイオンによって、髪や衣類に帯電しているプラス電荷を中和できて除去できる。したがって、花粉等のアレルゲン物質が、髪や衣類に引き寄せられにくくすることができて、アレルゲン物質が、人の近傍に存在しにくくすることができる。更には、髪や衣類に付着している花粉等のアレルゲン物質を、負のＰＣＩイオンの吹き付けにより髪や衣類から剥離することができて、更に、剥離後、浮遊している花粉等のアレルゲン物質を、プリーツ状の二次フィルタ２２で効率良く捕集できる。
【００３９】
また、上記第１実施形態のドライヤーによれば、イオン発生器８が放出するプラス帯電粒子としての正のＰＣＩイオンによって、空気中に浮遊している花粉等のアレルゲン物質に帯電しているマイナス電荷を中和できて除去できる。したがって、花粉等のアレルゲン物質が、プラスに帯電している髪や衣類に引く寄せられる作用を抑制できて、アレルゲン物質が、人の近傍に存在しにくくすることができる。また、電荷を失って、浮遊している花粉等のアレルゲン物質を、プリーツ状の二次フィルタ２２で効率的に捕集できる。
【００４０】
本発明は、持ち運びが容易なヘアケア装置であるから、髪や衣類に直接風と共にイオンをあてることで、花粉等のアレルゲン物質を中和させて一旦浮遊させることができ、かつ、アレルゲン物質が浮遊する範囲の付近までヘアケア装置を持ち運ぶことで、ヘアケア装置の吸込口にアレルゲン物質を吸い込ませることができる。したがって、アレルゲン物質をプリーツフィルタで効率よく捕集できるのである。
【００４１】
尚、上記実施形態のヘアドライヤーでは、プリーツ状の二次フィルタ２２は、図３に参照番号８０で示す平行に配置された複数の折り目で、ジャバラ状に折り畳まれた構造（平型ジャバラ構造）を有していた。しかしながら、この発明では、図５、すなわち、変形例のドライヤーの図３に対応する図に示すように、プリーツ状の二次フィルタ１２２は、中心から放射状に延在する複数の折り目１８０で、軸方向の吸込口側と、軸方向の吹出口側とに交互に折り畳まれた構造であっても良い。
【００４２】
また、上記第１実施形態のヘアドライヤーでは、二次フィルタ２２の風上側に平面状の一次フィルタ２１を配置したが、この発明では、平面状の一次フィルタが存在しなくても良く、プリーツ状のフィルタのみを有していれば良い。
【００４３】
また、上記第１実施形態のヘアドライヤーでは、イオン発生器８の一部が、外部に露出していたが、この発明では、イオン発生器の全てが、ハウジングの内部に配置されても良い。
【００４４】
また、上記実施形態では、仕切壁３３におけるイオン流路３０に面する部分が、非金属材料になっていたが、この発明では、帯電粒子流路の全部に金属部分がないようにして、帯電粒子を効率的に放出するようにしても良い。尚、この発明では、仕切壁の帯電粒子流路側の部分にかぎらず、帯電粒子流路の少なくとも一部が、非金属材料からなっていても良く、帯電粒子流路の全部が金属からなっていても良い。
【００４５】
また、上記実施形態では、帯電粒子発生装置が、正負のＰＣＩを生成するイオン発生器８であり、帯電粒子が、正負のＰＣＩであったが、この発明では、帯電粒子発生装置は、電子を生成する装置であっても良く、帯電粒子は、電子であっても良い。また、この発明では、帯電粒子発生装置は、帯電微粒子水を生成する装置であっても良く、帯電粒子は、帯電微粒子水であっても良い。また、この発明では、帯電粒子発生装置は、正イオンと、負イオンのうちの一方のイオンしか発生させることができなくても良く、帯電粒子は、正イオンと、負イオンのうちの一方のイオンであっても良い。また、この発明では、帯電粒子発生装置は、ＰＣＩ以外の正イオンと、ＰＣＩ以外の負イオンとの両方を、生成する装置であっても良く、帯電粒子は、ＰＣＩ以外の正イオンと、ＰＣＩ以外の負イオンとの両方であっても良い。
【００４６】
図６は、本発明のヘアケア装置の第２実施形態であるドライヤーの模式縦断面図である。
【００４７】
第２実施形態のドライヤーでは、第１実施形態のドライヤーの構成部と同一構成部には同一参照番号を付して説明を省略することにする。また、第２実施形態のドライヤーでは、第１実施形態のドライヤーと共通の作用効果および変形例については説明を省略することにし、第１実施形態のドライヤーと異なる構成、作用効果および変形例についてのみ説明を行うことにする。
【００４８】
第２実施形態のドライヤーは、一次フィルタ２１の代わりに導電性の一次フィルタ２２１を配置した点と、正負のイオンを発生するイオン発生器８の代わりに、負のイオンのみを発生するイオン発生器２０８を配置した点とが、第１実施形態のドライヤーと異なる。
【００４９】
詳しくは、このドライヤーは、高電圧発生器２７０と、導電性の一次フィルタ２２１と、第１ダイオード２７１と、第２ダイオード２７２とを有する。上記高電圧発生器２７０のマイナス側の端子が、第１ダイオード２７１のカソード端子に接続されると共に、第１ダイオード２７１のアノード端子が、イオン発生器２０８に接続されている。また、上記高電圧発生器２７０のプラス側の端子が、第２ダイオード２７２のアノード端子に接続されると共に、第２ダイオード２７２のカソード端子が、導電性の一次フィルタ２２１に接続されている。
【００５０】
このようにして、イオン発生器２０８からプラス電荷を、高電圧発生器２７０側に移動させて、イオン発生器２０８からマイナスイオンをハウジング５内に発生させると共に、高電圧発生器２７０から導電性の一次フィルタ２２１の方にプラス電荷を移動させて、導電性の一次フィルタ２２１をプラスに帯電するようになっている。
【００５１】
上記第２実施形態のドライヤーによれば、ファン６よりも空気の流れの上流側にプラス電位に帯電可能なフィルタ２２１を備えるから、このプラス電位に帯電しているフィルタ２２１によって、マイナスに帯電している花粉等のアレルゲン物質をハウジング５の内部に引き寄せることができて、引き寄せられた花粉等のアレルゲン物質を、プリーツ状のフィルタ２２で効率よく捕集できる。
【００５２】
尚、上記第２実施形態のドライヤーでは、図６に示すように、導電性の一次フィルタ２２１を、プリーツ状の二次フィルタ２２よりも空気の流れの上流側に配置したが、この発明では、導電性の一次フィルタを、プリーツ状の二次フィルタよりも空気の流れの下流側でかつファンよりも空気の流れの上流側に配置しても良い。このようにして、プラスに帯電した導電性の一次フィルタによって誘き寄せた花粉等のアレルゲン物質が、導電性の一次フィルタに吸着することを防止しながら、確実にプリーツ状の二次フィルタで捕集するようにしても良い。
【００５３】
図７は、本発明のヘアケア装置の第３実施形態であるドライヤーの模式縦断面図である。
【００５４】
第３実施形態のドライヤーでは、第１実施形態のドライヤーの構成部と同一構成部には同一参照番号を付して説明を省略することにする。また、第３実施形態のドライヤーでは、第１実施形態のドライヤーと共通の作用効果および変形例については説明を省略することにし、第１実施形態のドライヤーと異なる構成、作用効果および変形例についてのみ説明を行うことにする。
【００５５】
図７に示すように、第３実施形態では、ドライヤー本体３０１のハウジング３０５が、第１吸込口３１７の他に、複数の第２吸込口３８５を有し、複数の第２吸込口３８５の夫々は、開閉可能になっている。また、複数の第２吸込口３８５の夫々は、ファン６とプリーツ状のフィルタ２２との間に位置している。上記複数の第２吸込口３８５の夫々は、ファン６が生成する空気の流れに関しヒータ７よりも上流側に位置している。
【００５６】
また、上記複数の第２吸込口３８５は、ハウジング３０５の外周面の周方向に互いに間隔をおいて位置している。また、上記複数の第２吸込口３８５の軸方向の存在位置は、全て同一になっている。上記各第２吸込口３８５には、ドライヤーで使用されている通常のメッシュのフィルタ３８８が取り付けられている。
【００５７】
このドライヤーは、円筒状の切替リング３９０を備え、その切替リング３９０は、ハウジング３０５の外周面に周方向に回転可能に固定されている。上記切替リング３９０の軸方向の存在位置は、第２吸込口３８５の軸方向の存在位置に一致している。上記切替リング３９０は、第２吸込口３８５の数と同じ数の穴３９５を有し、複数の穴３９５は、切替リング３９０の周方向に互いに間隔をおいて位置している。
【００５８】
上記切替リング３９０を回転させることによって、ドライヤーモードと、空気清浄モードとを切替可能になっている。上記ドライヤーモードでは、切替リング３９０の回転によって、複数の穴３９５が存在する複数の周方向の位相と、複数の第２吸込口３８５が存在する複数の周方向の位相とが全て一致するようになっており、ハウジング３０５および切替リング３９０を貫通する複数の通路が形成されるようになっている。
【００５９】
一方、上記空気清浄モードでは、切替リング３９０の回転によって、複数の穴３９５が存在する複数の周方向の位相と、複数の第２吸込口３８５が存在する複数の周方向の位相とが一つも一致しないようになっている。そして、上記各第２吸込口３８５が、切替リング３９０における穴３９５が存在しない箇所で覆われるようになっている。このようにして、ドライヤーに吸い込まれる風が、必ずプリーツ状の二次フィルタ２２を経由するようにして、花粉等のアレルゲン物質の捕集を効率的に行うようになっている。
【００６０】
図８は、第３実施形態のドライヤーを制御する制御回路を示す図である。
【００６１】
図８において、３６０は、第１スイッチを示し、３６１は、第２スイッチを示し、３６２は、第３スイッチを示している。上記第１スイッチ３６０、第２スイッチ３６１および第３スイッチ３６２は、スライドスイッチであって、操作部３１１で切替可能である一方、第４スイッチは、切替リング３９０の回転による、ドライヤーモードと、空気清浄モードとの切替に連動して切り替わるようになっている。
【００６２】
また、図８において、３６５は、第１ヒータを示し、３６６は、第２ヒータを示し、３７２は、第１ヒューズを示し、３７３は、第２ヒューズを示す。また、図８において、３６６は、第１コンデンサを示し、３６７は、平滑化用の第２コンデンサを示し、３６８は、全波整流を行うダイオードブリッジを示す。また、図８において、８は、イオン生成器を示し、９は、ファンモータを示す。
【００６３】
上記構成において、第１スイッチ３６０をＯＮにすると、イオン発生器８が駆動するようになっており、第２スイッチ３６１をＯＮにすると、第２ヒータ３６６が駆動するようになっている。また、第３スイッチ３６２をＯＮにすると、ファンモータ６が高速駆動するようになっており、第４スイッチ３６３をＯＮにすると、ファンモータ６が高速駆動すると共に、第２吸込口３８５が開くようになっている。
【００６４】
この構成において、例えば、第１スイッチ３６０だけをＯＮにすると、第１ヒータ３６５に電力を供給できると共に、ファンモータ９が低速駆動するようになっている。また、第１スイッチ３６０および第２スイッチ３６１だけをＯＮにすると、第１ヒータ３６５と、第２ヒータ３６６とに電力を供給できると共に、ファンモータ９が低速駆動するようになっている。また、第３スイッチ３６２だけをＯＮにすると、上記第１ヒータ３６５および第２ヒータ３６６が駆動せずに、ファンモータが高速駆動し、大きな風量の冷風が吹き出されるようになっている。また、上記第４スイッチ３６３だけをＯＮにすると、ファンモータ９を高速駆動すると共に、第２吸込口３８５を開くことができるようになっている。このドライヤーは、このように、目的に応じて、様々な制御ができるようになっている。
【００６５】
上記第３実施形態のドライヤーによれば、ファン６とプリーツ状のフィルタ２２との間に開閉可能な第２吸込口３８５を有するから、微細な花粉等のアレルゲン物質の捕集を意図しない場合に、第２吸込口３８５を開くことによって、プリーツ状のフィルタ２２を経由しない空気の流れを生成できる。したがって、髪の乾燥等、花粉等のアレルゲン物質の捕集を意図しない場合に、プリーツ状のフィルタ２２を経由しないバイパス経路を形成することによって、風力を大きくできて、髪の乾燥等を迅速に行うことができる。
【００６６】
尚、上記第３実施形態のドライヤーでは、切替リング３９０の回転によって、第２吸込口の開閉を行った。しかしながら、この発明では、ドライヤー本体に対して着脱可能な筒部材を備えて、その筒部材を、ハウジングを覆うように配置することにより、第２吸込口を覆う一方、その筒部材をドライヤー本体から離脱することにより、第２吸込口を開放するようにしても良い。
【００６７】
尚、上記実施形態では、ヘアケア装置が、ドライヤーであったが、この発明では、ヘアケア装置は、カールブラシやヘアアイロン等のドライヤー以外のファンを有するヘアケア装置であっても良い。というのも、ファンを有するヘアケア装置でありさえすれば、それらの装置で、花粉等のアレルゲン物質の捕集を行うことが可能であるからである。
【００６８】
また、例えば、第２実施形態の導電性の一次フィルタと、第３実施形態の第２吸込口とを有する本発明のヘアケア装置を構築できることは勿論である。このように、本発明の新たな実施形態を、上記実施形態および変形例で説明した構成のうちの二以上の構成を適宜組み合わせて、構成しても良いことは言うまでもない。
【符号の説明】
【００６９】
５,３０５  ハウジング
６  ファン
７  ヒータ
８,２０８  イオン発生器
１７,３１７  吸込口
１８,３１８  吹出口
２２,１２２  プリーツ状の二次フィルタ
２２１  導電性の一次フィルタ
３８５  第２吸込口
【図１】
2013255650.tif 000003
【図２】
2013255650.tif 000004
【図３】
2013255650.tif 000005
【図４】
2013255650.tif 000006
【図５】
2013255650.tif 000007
【図６】
2013255650.tif 000008
【図７】
2013255650.tif 000009
【図８】
2013255650.tif 000010